(57)【要約】【課題】従来のラベル表示機能を有するテレビ受信機は、ユーザがリモコンを操作することによりラベル表示機能のラベル設定メニュー画面を表示させ、各種設定項目を入力するようになっているので、改めて設定変更しないと、実際の入力端子の接続状態とラベル表示が不一致になる。【解決手段】外部接続機器の接続端子が接続される入力端子１５、１６を具備し該入力端子に対応したラベルを映像出力部１０に表示する機能を備えた映像表示装置において、前記入力端子の接続状態を検出する検出手段１７と、前記検出手段の検出に応じてラベルの設定または消去の処理を行うラベル設定手段を備えた。前記ラベル設定手段は、前記入力端子に前記外部接続機器の前記接続端子１８、１９が接続されたことを前記検出手段が検出したときラベル設定メニュー画面を前記映像出力部に表示するので、確実にラベルの設定を行うことができる。【選択図】図１
2008017097.tif 000002
【特許請求の範囲】
【請求項１】
外部接続機器の接続端子が接続される入力端子を具備し該入力端子に対応したラベルを映像出力部に表示する機能を備えた映像表示装置において、
前記入力端子の接続状態を検出する検出手段と、
前記検出手段の検出に応じてラベルの設定または消去の処理を行うラベル設定手段を備えたことを特徴とする映像表示装置。
【請求項２】
前記ラベル設定手段は、前記入力端子に前記外部接続機器の前記接続端子が接続されたことを前記検出手段が検出したときラベル設定メニュー画面を前記映像出力部に表示するラベル設定メニュー画面表示手段を備えたことを特徴とする請求項１に記載の映像表示装置。
【請求項３】
前記ラベル設定手段は、複数の入力端子に設定可能な全てのラベルが表示された前記ラベル設定メニュー画面で選択されたラベルを設定することを特徴とする請求項２に記載の映像表示装置。
【請求項４】
前記ラベル設定手段は、入力端子ごとに設定可能なラベルのみが表示された前記ラベル設定メニュー画面で選択されたラベルを設定することを特徴とする請求項２に記載の映像表示装置。
【請求項５】
前記入力端子は複数のコネクタを備え、
前記検出手段は前記コネクタごとに抜き差しを検出する手段を備え、
前記ラベル設定手段は、前記コネクタごとに設定可能なラベルのみが表示された前記ラベル設定メニュー画面で選択されたラベルを設定することを特徴とする請求項２に記載の映像表示装置。
【請求項６】
前記ラベル設定メニュー画面は、前記コネクタごとに設定可能なラベルを決められた優先順序に従って表示することを特徴とする請求項５に記載の映像表示装置。
【請求項７】
前記ラベル設定手段は、前記ラベル設定メニュー画面からユーザが任意に入力したラベルを設定できることを特徴とする請求項２乃至請求項６のいずれか一項に記載の映像表示装置。
【請求項８】
前記ラベル設定手段は、前記入力端子から前記外部接続機器の前記接続端子が抜かれたことを前記検出手段が検出したとき、抜かれた前記入力端子に対応するラベルを消去することを特徴とする請求項１乃至請求項７のいずれか一項に記載の映像表示装置。
【請求項９】
前記ラベル設定手段は、前記入力端子から前記外部接続機器の前記接続端子が抜かれたことを前記検出手段が検出したとき、抜かれた前記入力端子に対応するラベルがデフォルト値であるとき該ラベルを消去するかどうかのＯＳＤ表示をする手段を備えたことを特徴とする請求項１乃至請求項８のいずれか一項に記載の映像表示装置。
【請求項１０】
前記ラベル設定手段は、前記外部接続機器の前記接続端子が前記入力端子に接続されたことを前記検出手段が検出したとき、接続された前記入力端子にラベルが付いているとき該ラベルを変更するかどうかのＯＳＤ表示をする手段を備えたことを特徴とする請求項１乃至請求項９のいずれか一項に記載の映像表示装置。
【請求項１１】
映像表示装置の入力端子のラベル設定方法において、
外部接続機器が接続される前記入力端子の接続状態を検出し、
該検出に応じて前記入力端子のラベルを設定または消去することを特徴とする入力端子のラベル設定方法。
【請求項１２】
前記入力端子に前記外部接続機器が接続されたことを検出したときラベル設定メニュー画面を表示し、前記ラベル設定メニュー画面に従ってラベルを設定することを特徴とする請求項１１に記載の入力端子のラベル設定方法。
【請求項１３】
複数の前記入力端子に設定可能な全てのラベルを前記ラベル設定メニュー画面に表示し、
前記ラベル設定メニュー画面に表示されたラベルから選択してラベルを設定することを特徴とすることを特徴とする請求項１２に記載の入力端子のラベル設定方法。
【請求項１４】
前記入力端子ごとに設定可能なラベルのみを前記ラベル設定メニュー画面に表示し、
前記ラベル設定メニュー画面に表示されたラベルから選択してラベルを設定することを特徴とする請求項１２に記載の入力端子のラベル設定方法。
【請求項１５】
前記入力端子に備わるコネクタごとに設定可能なラベルのみを前記ラベル設定メニュー画面に表示し、
前記ラベル設定メニュー画面に表示されたラベルから選択してラベルを設定することを特徴とする請求項１２に記載の入力端子のラベル設定方法。
【請求項１６】
設定可能なラベルを決められた優先順序に従って前記ラベル設定メニュー画面に表示することを特徴とする請求項１３乃至請求項１５のいずれか一項に記載の入力端子のラベル設定方法。
【請求項１７】
前記ラベル設定メニュー画面からユーザが任意に入力したラベルを設定することを特徴とする請求項１２乃至請求項１６のいずれか一項に記載の入力端子のラベル設定方法。
【請求項１８】
前記入力端子から前記外部接続機器が抜かれたことを検出したとき、抜かれた前記入力端子に対応するラベルを消去することを特徴とする請求項１１乃至請求項１７のいずれか一項に記載の入力端子のラベル設定方法。
【請求項１９】
前記入力端子から前記外部接続機器が抜かれたことを検出したとき、抜かれた前記入力端子に対応するラベルがデフォルト値であるとき該ラベルを消去するかどうかのＯＳＤ表示をすることを特徴とする請求項１１乃至請求項１８のいずれか一項に記載の入力端子のラベル設定方法。
【請求項２０】
前記外部接続機器が前記入力端子に接続されたことを検出したとき、接続された前記入力端子にラベルが付いているとき該ラベルを変更するかどうかのＯＳＤ表示をすることを特徴とする請求項１１乃至請求項１９のいずれか一項に記載の入力端子のラベル設定方法。
【発明の詳細な説明】
【技術分野】
【０００１】
本発明は、映像表示装置、および入力端子のラベル設定方法に係り、特に入力端子のラベル表示が実際に接続された外部接続機器と対応しなくなることを防止することができる映像表示装置、および入力端子のラベル設定方法に関する。
【背景技術】
【０００２】
従来のテレビ受信機には、外部接続機器としてＶＴＲ、ＤＶＤ、ゲーム機器などの電子機器が入力端子に接続でき、そして、入力端子に接続された電子機器の種類や内容に対応したラベルをＯＳＤ（On Screen Display）により表示できる機能（ラベル表示機能）を有しているものがある。
このようなラベル表示機能を有するテレビ受信機では、リモコン操作によりラベル表示機能のラベル設定メニュー画面を表示させ、入力端子に接続された外部接続機器のラベルを設定することにより入力端子に接続された外部接続機器のラベルをＯＳＤにより表示させることができるようになっている。
従来のラベル表示機能に関して記載されたものとして、特開平６−１５３１０１号公報がある。
【特許文献１】特開平６−１５３１０１号公報
【発明の開示】
【発明が解決しようとする課題】
【０００３】
従来のラベル表示機能を有するテレビ受信機は、ユーザがリモコンを操作することによりラベル表示機能のラベル設定メニュー画面を表示させ、各種設定項目を入力するようになっている。したがって、入力端子に接続されている外部接続機器の種類が変更された場合に、改めて設定変更しないと、実際の入力端子の接続状態とラベル表示が不一致になるという問題がある。この場合、従来のラベル表示機能における設定操作は、まず、ユーザがリモコンを操作してラベル設定メニュー画面を表示させることが求められる。ユーザがこの操作を忘れたり、後回しにして操作をしなかった場合などは実際の入力端子の接続状態とラベル表示が不一致になる。また、リモコンを操作してラベル設定メニュー画面をいちいち表示させることは面倒であるという問題もある。
【０００４】
本発明の目的は、上記問題点に鑑み、テレビ受信機などの映像表示装置の入力端子に対して外部接続機器が抜き差しされた場合に、自動的にラベル設定メニュー画面を表示させることにより、ユーザが確実にラベル表示の設定変更が行え、実際の入力端子の接続状態と一致したラベル表示とすることができる映像表示装置を提供することにある。
【課題を解決するための手段】
【０００５】
本発明の映像表示装置は、外部接続機器の接続端子が接続される入力端子を具備し該入力端子に対応したラベルを映像出力部に表示する機能を備えた映像表示装置において、前記入力端子の接続状態を検出する検出手段と、前記検出手段の検出に応じてラベルの設定または消去の処理を行うラベル設定手段を備えたことを特徴とする。
また、本発明の映像表示装置は、前記ラベル設定手段は、前記入力端子に前記外部接続機器の前記接続端子が接続されたことを前記検出手段が検出したときラベル設定メニュー画面を前記映像出力部に表示するラベル設定メニュー画面表示手段を備えたことを特徴とする。
また、本発明の映像表示装置は、前記ラベル設定手段は、複数の入力端子に設定可能な全てのラベルが表示された前記ラベル設定メニュー画面で選択されたラベルを設定することを特徴とする。
また、本発明の映像表示装置は、前記ラベル設定手段は、入力端子ごとに設定可能なラベルのみが表示された前記ラベル設定メニュー画面で選択されたラベルを設定することを特徴とする。
また、本発明の映像表示装置は、前記入力端子は複数のコネクタを備え、前記検出手段は前記コネクタごとに抜き差しを検出する手段を備え、前記ラベル設定手段は、前記コネクタごとに設定可能なラベルのみが表示された前記ラベル設定メニュー画面で選択されたラベルを設定することを特徴とする。
また、本発明の映像表示装置は、前記ラベル設定メニュー画面は、前記コネクタごとに設定可能なラベルを決められた優先順序に従って表示することを特徴とする。
また、本発明の映像表示装置は、前記ラベル設定手段は、前記ラベル設定メニュー画面からユーザが任意に入力したラベルを設定できることを特徴とする。
また、本発明の映像表示装置は、前記ラベル設定手段は、前記入力端子から前記外部接続機器の前記接続端子が抜かれたことを前記検出手段が検出したとき、抜かれた前記入力端子に対応するラベルを消去することを特徴とする。
また、本発明の映像表示装置は、前記ラベル設定手段は、前記入力端子から前記外部接続機器の前記接続端子が抜かれたことを前記検出手段が検出したとき、抜かれた前記入力端子に対応するラベルがデフォルト値であるとき該ラベルを消去するかどうかのＯＳＤ表示をする手段を備えたことを特徴とする。
また、本発明の映像表示装置は、前記ラベル設定手段は、前記外部接続機器の前記接続端子が前記入力端子に接続されたことを前記検出手段が検出したとき、接続された前記入力端子にラベルが付いているとき該ラベルを変更するかどうかのＯＳＤ表示をする手段を備えたことを特徴とする。
また、本発明の入力端子のラベル設定方法は、映像表示装置の入力端子のラベル設定方法において、外部接続機器が接続される前記入力端子の接続状態を検出し、該検出に応じて前記入力端子のラベルを設定または消去することを特徴とする。
また、本発明の入力端子のラベル設定方法は、前記入力端子に前記外部接続機器が接続されたことを検出したときラベル設定メニュー画面を表示し、前記ラベル設定メニュー画面に従ってラベルを設定することを特徴とする。
また、本発明の入力端子のラベル設定方法は、複数の前記入力端子に設定可能な全てのラベルを前記ラベル設定メニュー画面に表示し、前記ラベル設定メニュー画面に表示されたラベルから選択してラベルを設定することを特徴とすることを特徴とする。
また、本発明の入力端子のラベル設定方法は、前記入力端子ごとに設定可能なラベルのみを前記ラベル設定メニュー画面に表示し、前記ラベル設定メニュー画面に表示されたラベルから選択してラベルを設定することを特徴とする。
また、本発明の入力端子のラベル設定方法は、前記入力端子に備わるコネクタごとに設定可能なラベルのみを前記ラベル設定メニュー画面に表示し、前記ラベル設定メニュー画面に表示されたラベルから選択してラベルを設定することを特徴とする。
また、本発明の入力端子のラベル設定方法は、設定可能なラベルを決められた優先順序に従って前記ラベル設定メニュー画面に表示することを特徴とする。
また、本発明の入力端子のラベル設定方法は、前記ラベル設定メニュー画面からユーザが任意に入力したラベルを設定することを特徴とする。
また、本発明の入力端子のラベル設定方法は、前記入力端子から前記外部接続機器が抜かれたことを検出したとき、抜かれた前記入力端子に対応するラベルを消去することを特徴とする。
また、本発明の入力端子のラベル設定方法は、前記入力端子から前記外部接続機器が抜かれたことを検出したとき、抜かれた前記入力端子に対応するラベルがデフォルト値であるとき該ラベルを消去するかどうかのＯＳＤ表示をすることを特徴とする。
また、本発明の入力端子のラベル設定方法は、前記外部接続機器が前記入力端子に接続されたことを検出したとき、接続された前記入力端子にラベルが付いているとき該ラベルを変更するかどうかのＯＳＤ表示をすることを特徴とする。
【発明の効果】
【０００６】
本発明によれば、外部接続機器が入力端子に対して抜き差しされたときに自動的にラベル設定メニュー画面が表示されるので、ユーザはいちいちリモコンを操作してラベル設定メニュー画面を表示させる必要がなくなり、ユーザは自動的に表示されたラベル設定メニュー画面にしたがって確実にラベル表示の設定変更が行え、実際の入力端子の接続状態と一致したラベル表示とすることができる。
【発明を実施するための最良の形態】
【０００７】
次に、本発明を実施するための最良の形態を、図面を参照して具体的に説明する。
【０００８】
（第１の実施の形態）
図１は本発明の第１の実施の形態として、外部接続機器が接続可能な映像表示装置、例えば本実施の形態ではテレビ受信機を例にとってその構成図を示したものである。
【０００９】
１はテレビ放送を受信するアンテナであり、地上デジタル放送、ＢＳデジタル放送、１１０度ＣＳデジタル放送などを受信可能である。
【００１０】
２は所望の番組が含まれる電波を選局するチューナである。
【００１１】
また、３、４は、ビデオデッキ、ＤＶＤプレーヤ、デジタルＣＳチューナ、ビデオカメラ、Ｄ−ＶＨＳビデオデッキ、ＨＤＤ装置、パソコン（ＰＣ）、各種ゲーム機器などの外部接続機器である。
【００１２】
５は、チューナ２、外部接続機器３、及び外部接続機器４からの入力信号を切り替えるＡＶスイッチである。ＡＶスイッチ５は、上記チューナ２、外部接続機器３、外部接続機器４から入力された信号のいずれかを選択して出力する。ＡＶスイッチ５には、入力１として外部接続機器３の接続端子１８が接続される入力端子１５を備えている。また、入力２として外部接続機器４の接続端子１９が接続される入力端子１６を備えている。ここでは外部接続機器を外部接続機器３、及び外部接続機器４の２台が接続可能に図示しているが、これに限らず３台以上の外部接続機器を接続できるように構成することができる。
【００１３】
６はＡＶスイッチ５の信号から所望の映像データと音声データを分離して出力するＡＶ出力部である。なお、ＡＶ出力部６は映像信号と音声信号の他に番組内容などの情報信号も分離するが、ここでは図示していない。
【００１４】
７はＡＶ出力部６からの音声データをデコードしてアナログの音声信号に変換する音声信号処理部である。
【００１５】
８は音声信号処理部７の音声信号を実際の音として出力するスピーカなどの音声出力部である。
【００１６】
９はＡＶ出力部６からの映像データをデコードしてアナログの映像信号に変換する映像信号処理部である。
【００１７】
１０は映像信号処理部９の映像信号を液晶表示器などの表示装置に映像として表示する映像出力部である。
【００１８】
１１はＣＰＵを含むマイクロコンピュータ（以下マイコンという）であり、テレビ受信機全体を制御する。
【００１９】
１２は、マイコン１１がテレビ受信機全体を制御するのに必要なプログラム、ラベル設定テーブル、入力端子ごとに接続可能な外部接続機器のラベルの候補リストなどを記憶したメモリ（記憶手段）である。
【００２０】
図２は入力端子１５に対応する入力１に接続可能な外部接続機器のラベルの候補の一例を示したものである。入力１に接続可能な外部接続機器のラベルの候補が、「入力１」、「ビデオ１」、「ビデオ」、「コンポーネント１」、「コンポーネント」、「Ｄ端子１」、「Ｄ端子」、「ＣＡＴＶ」、「ＣＳ」、「ＤＶＤ」、「ゲーム」、「ムービー」、「Ｄ−ＶＨＳ」、「ＤＶＲ」、「ＨＤＤ」が、入力１に対応付けられ、ラベル選択リスト３１としてメモリ１２に記憶されている。
【００２１】
また、図３は入力端子１６に対応する入力２に接続可能な外部接続機器のラベルの候補の一例を示したものである。入力２に接続可能な外部接続機器のラベルの候補が、「入力２」、「ビデオ２」、「ビデオ」、「ＣＡＴＶ」、「ＣＳ」、「ＤＶＤ」、「ゲーム」、「ムービー」、「Ｄ−ＶＨＳ」、「ＤＶＲ」、「ＨＤＤ」が入力２に対応付けられラベル選択リスト３２としてメモリ１２に記憶されている。
【００２２】
複数の入力端子を備えるものでは、それぞれの入力端子に備わるコネクタの種類は図４、図５に示すように異なったものとしても良く、この場合にこれら入力端子に接続可能な外部接続機器のラベルの候補リストは図２、図３に示したように異なるものとなる。したがって、ラベルの候補リストは、全入力端子に接続可能な外部接続機器のラベルの全てを共通に表示しても良いが、それぞれの入力端子ごとに接続可能なものを限定してＯＳＤ表示させるようにすると、選択するときの操作が楽になり、誤選択の確率が減少し、操作時間も短縮することができる。
【００２３】
１３は、ラベル設定メニュー画面やラベルのＯＳＤ表示キャラクタを発生させるＯＳＤ回路である。ＯＳＤ回路１３はマイコン１１からの指令によりＯＳＤ表示キャラクタを発生させる。ＯＳＤ回路１３からのＯＳＤ表示キャラクタを基に映像信号処理部９はＡＶ出力部６からの映像信号にＯＳＤ表示キャラクタ信号を重畳させることにより、映像出力部１０にラベル設定メニュー画面やラベルをＯＳＤ表示する。
【００２４】
１４はユーザによって操作され、テレビ受信機に赤外線信号の操作信号を送り、チャンネル切替、ラベル表示機能の操作などを行うリモートコントローラ（以下リモコンという）である。
【００２５】
１５は外部接続機器３の接続端子１８を接続するための入力端子、１６は外部接続機器４の接続端子１９を接続するための入力端子であり、複数種類の電子機器が接続できるように複数のコネクタが備わっている。この複数のコネクタの一例を挙げれば、コンポジット映像端子（ピン端子）、セパレート映像端子（Ｓ端子）、コンポーネント映像端子、Ｄ映像端子（Ｄ端子）、ＨＤＭＩ（High Definition Multimedia Interface）端子などである。
【００２６】
図４に外部接続機器３が接続される入力端子１５の一例を示した。この例では映像信号入力用としてＤ４映像端子２０、コンポーネント映像端子２１、映像端子２２、音声用ＬＲ端子２３が備わっている。
【００２７】
また、図５に外部接続機器４が接続される入力端子１６の一例を示した。この例では映像信号入力用としてＳ２映像端子２４、映像端子２５、音声用ＬＲ端子２６が備わっている。
【００２８】
これら入力端子１５、１６は、それぞれ入力端子としてコネクタ群を形成している。接続される外部接続機器の接続端子１８、１９はその接続コネクタ形式に合わせて入力端子１５、１６の適合するコネクタに接続される。テレビ受信機にこの入力端子が複数備わるものでは、このコネクタ群が複数備わることになる。
【００２９】
また、ＡＶスイッチ５には外部接続機器３の接続端子１８、外部接続機器４の接続端子１９が入力端子１５、１６に対して抜き差しされたことを検出するコネクタ抜き差し検出器１７を備えている。コネクタ抜き差し検出器１７は外部接続機器３の接続端子１８が入力端子１５に対して抜き差しされたことを検出すると、マイコン１１に入力端子１５が抜き差しされた信号を出力する。また、コネクタ抜き差し検出器１７は外部接続機器４の接続端子１９が入力端子１６に対して抜き差しされたことを検出すると、マイコン１１に入力端子１６が抜き差しされた信号を出力する。
【００３０】
本実施の形態では、入力端子１５、入力端子１６として図４、図５に示すように複数種類のコネクタを備えている。コネクタ抜き差し検出器１７は、入力端子１５内のいずれかのコネクタでの抜き差し、または入力端子１６内のいずれかのコネクタでの抜き差しを検出すると、抜き差しされたコネクタが属する入力端子ごとに、入力端子１５における抜き差し、又は入力端子１６における抜き差しがあったとして検出するように構成される。
【００３１】
次に、外部接続機器４の接続端子１９を入力端子１６に対して抜き差しした場合のラベル設定動作例を、図６を参照して説明する。
【００３２】
まず、ユーザがテレビ受像機で映像を視聴しているとする（ステップＳ１）。
【００３３】
次に、ステップＳ２に進み、入力端子の接続状態が変更されたか否かをチェックする。ステップＳ２において、入力端子の接続状態に変更がないと判断したときはステップＳ１に戻り処理を継続する。
【００３４】
ステップＳ２において、例えば入力端子１６から外部接続機器４の接続端子１９が抜かれたことが検出されたときは、ステップＳ３に進み、メモリ１２に記憶されたラベル設定テーブルの該当する入力２のラベルを「−−−（ラベル消去）」に更新する。
【００３５】
次にステップＳ４に進み、入力２に対応した部分が「−−−」となったＯＳＤ表示が所定時間だけ行われる。
【００３６】
図７は、例えば入力端子１６から外部接続機器４の接続端子１９が抜かれる前のステップＳ１におけるラベル表示状態を示している。この例では入力端子１５、１６の他に更に図１では示していない２つの入力端子が備わり、初めに入力端子１５に対応する入力１にＧＡＭＥ１、入力端子１６に対応する入力２にＧＡＭＥ２、更に他の入力端子に対応する入力３、４にＨＤＭＩ端子、ＤＶＤが接続された例を示している。また、図８は、その後に入力端子１６から外部接続機器４の接続端子１９が抜かれたときのステップＳ４におけるラベル表示状態を示している。
【００３７】
図８のラベル表示は図７のラベル表示に対し、入力１、入力３、入力４の表示内容に変更はないが、入力２に対応する入力端子１６から外部接続機器４の接続端子１９が抜かれたので、入力２は接続なしとして「−−−」が表示されている。従来技術では、入力端子１６から外部接続機器４の接続端子１９が抜かれてもユーザがリモコンを使ってラベル設定メニュー画面を表示させ、設定を変更しない限り入力２のラベル表示は「ＧＡＭＥ２」のままであり、実際に接続されているものと食い違うものとなっていたが、本実施の形態によれば、ステップＳ２で入力端子１６から外部接続機器４の接続端子１９が抜かれたことを検出すると、ステップＳ３で自動的にラベル設定が接続なしの表示（ラベルが消去される）に更新され、ステップＳ４で入力２に対応して「−−−」が表示されるようになる。
【００３８】
ステップＳ４において変更された内容がＯＳＤ表示されて所定時間が経過するとステップＳ１に戻り、処理が継続される。
【００３９】
さらに、ステップＳ２において、例えば、入力端子１６に外部接続機器４の接続端子１９が接続されたと判断したときは、ステップＳ５に進み、ラベル設定メニュー画面を自動的に表示する。
【００４０】
図９において、２７はラベル設定メニュー画面の一例である。ラベル設定メニュー画面２７の上部には、例えば「入力２に新たな機器が接続されました。ラベルを選択してください。」とのコメントを表示し、その下に選択肢として「入力２」、「ビデオ２」、「ビデオ」、「ＣＡＴＶ」、「ＣＳ」、「ＤＶＤ」、「ゲーム２」、「ムービー」、「Ｄ−ＶＨＳ」、「ＤＶＲ」、「ＨＤＤ」、「ユーザ設定」が表示される。ユーザはリモコンで左右上下移動キーを操作して、目的のラベルを選択し決定キーを押下することにより、所望のラベルを設定することができる。このラベルの選択肢は一例であって、他のラベルを設定することができ、また、ラベルの選択肢の数もこれに限定されない。また、ユーザがラベルを任意に入力できる欄「ユーザ設定」を設けて、ユーザが希望するラベルを入力できるようになっている。今の場合、入力２として「ＨＤＤ」を選択して設定したとする。
【００４１】
ステップＳ５でＯＳＤ表示項目「ＨＤＤ」が選択、設定されると、ステップＳ６においてラベル設定テーブルの入力２に対応するラベルが更新される。
【００４２】
次に、ステップＳ７に進んで、入力２に対応する部分が「ＨＤＤ」となったＯＳＤ表示キャラクタが図１０のように生成されて映像出力部にＯＳＤ表示される。
【００４３】
従来は、入力端子１６に外部接続機器４の接続端子１９を差して新たな機器を接続した場合、ユーザがリモコンを操作してラベル設定メニュー画面２７を表示し、該当する入力２のラベルを変更しない限り、入力２のＯＳＤ表示は「ＧＡＭＥ２」のままであり、実際に接続されているものと食い違いを生じるものとなる。しかし、本実施の形態によれば、入力端子１６に接続された外部接続機器「ＧＡＭＥ２」を抜いて、新たにＨＤＤ装置を接続すると、自動的にラベルの設定を促すラベル設定メニュー画面２７が表示され、このラベル設定メニュー画面２７に従ってラベルを選択して入力すれば図１０に示したように、入力２として「ＨＤＤ」がＯＳＤ表示される。したがって本実施の形態によれば、変更忘れがなく、確実にラベルを変更することができる。
【００４４】
なお、上記実施の形態ではラベル変更後のＯＳＤ表示は、ステップＳ４、Ｓ７で所定時間表示するとしたが、これは変更時の確認のために表示するものである。任意の時にＯＳＤ表示させるために、図６の処理フローとは別に、リモコンを操作してＯＳＤ表示させるようにすれば、ステップＳ４、Ｓ７は省略してもよい。また、ステップＳ４、Ｓ７における表示を、所定時間表示するのではなくリモコン操作により表示終了させるようにすれば、ユーザが確実に確認することができる。
【００４５】
（第２の実施の形態）
ユーザによってはラベルをデフォルト値のままとして、特にラベルの設定変更操作を望まない場合もある。そこで、これに対処する場合の本発明の第２の実施形態を図１１に示す。
外部接続機器４の接続端子１９を入力２に対応する入力端子１６に抜き差ししたときを例にとって本実施の形態における動作を図１１を参照して以下説明する。
【００４６】
まず、ユーザがテレビ受像機で映像を視聴しているとする（ステップＳ１１）。
【００４７】
次に、ステップＳ１２に進み、入力端子の接続状態が変更されたか否かをチェックする。ステップＳ１２において、入力端子の接続状態に変更がないと判断したときはステップＳ１１に戻り処理を継続する。
【００４８】
ステップＳ１２において、入力端子１６から外部接続機器の接続端子１９が抜かれたことが検出されたときは、ステップＳ１３に進み、抜かれた入力端子１６に対応する入力２のラベル表示がデフォルト値、例えば「入力２」か否かがチェックされる。デフォルト値である場合にはステップＳ１１に戻り処理を継続する。
【００４９】
ステップＳ１３において、ラベル表示がデフォルト値でない場合にはステップ１４に進み、当該ラベルを消すか否かを確認するＯＳＤ確認画面２８が表示される。例えば図１２のように「入力２のラベルを消去しますか？「いいえ」を選択した場合のラベルはもとのままとなります。」とのコメントをＯＳＤ表示させ、その下に「はい」、「いいえ」などの選択肢を表示させる。ユーザはリモコンの左右上下移動キーを操作して「はい」、「いいえ」のいずれかを選択して決定キーを押下する。「いいえ」が選択された場合にはステップＳ１１に戻り処理を継続する。「はい」が選択された場合にはステップＳ１５に進む。
【００５０】
ステップＳ１５では、ラベル設定テーブルの入力２に対応するラベル表示を「−−−（ラベル消去）」に更新する。
【００５１】
次にステップＳ１６に進み、入力２に対応した部分が「−−−」となったＯＳＤ（図８）を所定時間だけ表示する。ステップＳ１６において変更された内容が所定時間だけＯＳＤ表示され、所定時間が経過するとステップＳ１に戻り、処理が継続される。
【００５２】
このように、本実施の形態によれば、ステップＳ１２で入力端子から外部接続機器の接続端子が抜かれたことを検出すると、ステップＳ１３でラベルがデフォルト値か否かが判定され、デフォルト値でない場合にはもとのラベルをそのまま残すか、あるいは消去して「−−−」とＯＳＤ表示することができる。
【００５３】
さらに、ステップＳ１２において、入力端子１６に外部接続機器４の接続端子１９が接続されたと判断したときは、ステップＳ１７に進み、対応する入力２のラベルはあるかどうかチェックされる。
【００５４】
ステップＳ１７において、ラベルがあると判断された場合（ＹＥＳの場合）にはステップＳ１８に進む。
【００５５】
ステップＳ１８ではラベルを変更するか否かを確認するＯＳＤ確認画面２９、例えば図１３のように「入力２のラベルを変更しますか？「いいえ」を選択した場合のラベルはもとのままとなります。」とのコメントをＯＳＤ表示させ、その下に「はい」、「いいえ」などの選択肢を表示させる。ユーザはリモコンの左右上下移動キーを操作して「はい」、「いいえ」のいずれかを選択して決定キーを押下する。「いいえ」が選択された場合（ＮＯの場合）にはステップＳ１１に戻り処理を継続する。
【００５６】
ステップＳ１８において「はい」が選択された場合（ＹＥＳの場合）、およびステップＳ１７においてラベルがないと判断された場合（ＮＯの場合）にはステップＳ１９に進む。
【００５７】
ステップＳ１９ではラベル設定メニュー画面２７を自動的に表示する。
【００５８】
図９はラベル設定メニュー画面２７の一例を示したものである。ラベル設定メニュー画面２７の上部には、例えば「入力２に新たな機器が接続されました。ラベルを選択してください。」とのコメントを表示し、その下に選択肢として「入力２」、「ビデオ２」、「ビデオ」、「ＣＡＴＶ」、「ＣＳ」、「ＤＶＤ」、「ゲーム２」、「ムービー」、「Ｄ−ＶＨＳ」、「ＤＶＲ」、「ＨＤＤ」、「ユーザ設定」が表示される。ユーザはリモコンで左右上下移動キーを操作して、目的のラベルを選択して、決定キーを押下することにより、所望のラベルを設定することができる。このラベルの選択肢は一例であって、ラベルは他の表示を設定することができ、また、ラベルの選択肢の数もこれに限定されない。また、ユーザがラベルを任意に入力できる欄「ユーザ設定」を設けて、ユーザが希望するラベルを入力できるようになっている。今の場合、入力２として「ＨＤＤ」を選択して設定したとする。
【００５９】
ステップＳ１９でラベル「ＨＤＤ」が選択、設定されると、ステップＳ２０においてラベル設定テーブルが更新される。
【００６０】
次に、ステップＳ２１に進んで、入力２に対応する部分が「ＨＤＤ」となったＯＳＤ表示キャラクタが図１０のように生成されて映像出力部にＯＳＤ表示される。
【００６１】
以上の説明のように、本実施の形態によれば、入力端子の接続状態が変化したときラベルの変更忘れがなく、確実にラベルを変更することができると共に、ユーザがラベルを変更したくない場合にはそのままのラベルとすることができ、また、外部接続機器の接続端子を単に抜き差ししただけで元の機器をそのまま接続するときなどはラベルの設定変更操作を省略できる効果がある。
【００６２】
（第３の実施の形態）
複数の入力端子を備えるものでは、それぞれの入力端子に備わるコネクタの種類は図４、図５に示すように異なったものとすることができるので、それぞれの入力端子内に備わる複数のコネクタのそれぞれについての抜き差しを独立に検出するようにすることができる。本発明の第３の実施の形態は、それぞれの入力端子内に備わる複数のコネクタのそれぞれについての抜き差しを独立に検出するようにし、ラベル設定メニュー画面２７に表示されるラベルの候補リストをそれぞれのコネクタにふさわしいラベルから優先的に表示するようにしたものである。本実施の形態ではそれぞれのコネクタに対応したふさわしいラベルが予め優先順序が付けられてメモリ１２に記憶されている。
【００６３】
図１４は、本実施の形態における、外部接続機器の接続端子を入力端子に備わったいずれかのコネクタに対して抜き差ししたときの、ラベル表示変更動作フローチャートである。
【００６４】
本実施の形態ではコネクタ抜き差し検出器１７は、各入力端子内のコネクタごとに独立してコネクタ抜き差しが検出されるようになっている。
【００６５】
図１４のフローチャートは、第１の実施の形態の図６に示すフローチャートでステップＳ５に相当するステップＳ３６の前に、抜き差しされたコネクタを特定する処理ステップＳ３５が挿入された点と、ステップＳ６に相当するステップＳ３７の処理で、ラベル設定メニュー画面２７に表示されるラベルの候補リストが、ステップＳ３５で特定されたコネクタに接続可能なふさわしいラベルが表示される点が異なる。その他は第１の実施の形態と同様なので詳細説明は省略する。
【００６６】
本実施の形態によれば、ステップＳ３５で特定されたコネクタに接続不可能な外部接続機器のラベルは表示されない。また、当該コネクタにふさわしいラベルが優先順序を付けられて表示されているので選択が容易になる効果がある。ラベルの優先順序は固定的に予め定めてメモリ１２に記憶させても良いが、マイコン１１が過去の抜き差し記録を基に、抜き差しされた回数の多いラベルが優先するように順序を決定するようにしてもよい。あるいはマニュアルで変更可能にしてもよい。
【００６７】
以上、本発明を具体的な実施の形態により説明したが、本発明は上記実施の形態に限定されず、本発明の要旨を逸脱しない範囲で変更して実施することができることは言うまでもない。
【産業上の利用可能性】
【００６８】
本発明は、抜き差し可能な外部接続機器のラベルを表示する機能を有する映像表示装置、例えばテレビ受信機、パーソナルコンピュータ、ゲーム機器などに広く利用できる。
【図面の簡単な説明】
【００６９】
【図１】本発明による第１の実施の形態の映像表示装置の構成例を示す図である。
【図２】本発明による第１の実施の形態の、ラベル選択リストの例を示す図である。
【図３】本発明による第２の実施の形態の、ラベル選択リストの他の例を示す図である。
【図４】本発明による第１の実施の形態の、入力端子の例を示す図である。
【図５】本発明による第１の実施の形態の、入力端子の他の例を示す図である。
【図６】本発明による第１の実施の形態のラベル設定処理のフローチャートである。
【図７】本発明による第１の実施の形態のラベルＯＳＤ表示の例を示す図である。
【図８】本発明による第１の実施の形態のラベルＯＳＤ表示の他の例を示す図である。
【図９】本発明による第１の実施の形態のラベル設定メニュー画面の例を示す図である。
【図１０】本発明による第１の実施の形態のラベルＯＳＤ表示の更に他の例を示す図である。
【図１１】本発明による第２の実施の形態のラベル設定処理のフローチャートである。
【図１２】本発明による第２の実施の形態のラベル消去のＯＳＤ確認画面の例を示す図である。
【図１３】本発明による第２の実施の形態のラベル変更のＯＳＤ確認画面の例を示す図である。
【図１４】本発明による第３の実施の形態のラベル設定処理のフローチャートである。
【符号の説明】
【００７０】
１・・・アンテナ
２・・・チューナ
３、４・・・外部接続機器
５・・・ＡＶスイッチ
６・・・ＡＶ出力部
７・・・音声信号処理部
８・・・音声出力部
９・・・映像信号処理部
１０・・・映像出力部
１１・・・マイクロコンピュータ（マイコン）
１２・・・メモリ（記憶手段）
１３・・・ＯＳＤ回路
１４・・・リモートコントローラ（リモコン）
１５、１６・・・入力端子
１７・・・コネクタ抜き差し検出器
１８、１９・・・接続端子
２０・・・Ｄ４映像端子
２１・・・コンポーネント映像端子
２２、２５・・・映像コンポジット映像端子
２３、２６・・・音声ＬＲ端子
２４・・・Ｓ２映像端子
２７・・・ラベル設定メニュー画面
２８、２９・・・ＯＳＤ確認画面
３１、３２・・・ラベル選択リスト
【図１】
2008017097.tif 000003
【図２】
2008017097.tif 000004
【図３】
2008017097.tif 000005
【図４】
2008017097.tif 000006
【図５】
2008017097.tif 000007
【図６】
2008017097.tif 000008
【図７】
2008017097.tif 000009
【図８】
2008017097.tif 000010
【図９】
2008017097.tif 000011
【図１０】
2008017097.tif 000012
【図１１】
2008017097.tif 000013
【図１２】
2008017097.tif 000014
【図１３】
2008017097.tif 000015
【図１４】
2008017097.tif 000016